(57)【要約】【課題】  無給電画像表示手段の表示画像の一部を変更する際に表示画像によるデザイン性を大きく損ねることなく、画像変更の応答性を高めることが可能になる電子機器を提供する。【解決手段】  本電子機器（携帯電話機）２０は、画像の表示状態を無給電状態でも維持可能な無給電画像表示手段（表示パネル）３１と、無給電画像表示手段３１に所望の画像を表示させるように描画処理する描画処理手段２００とを備える。無給電画像表示手段３１は、互いに独立に画像を表示可能な複数の表示領域３１Ａ，３１Ｂを有する。描画処理手段２００は、複数の表示領域３１Ａ，３１Ｂそれぞれについて互いに独立に表示画像を書き換えるように描画処理を行う。【選択図】  図１
2006253878.tif 000002
【特許請求の範囲】
【請求項１】
画像の表示状態を無給電状態でも維持可能な無給電画像表示手段と、該無給電画像表示手段に所望の画像を表示させるように描画処理する描画処理手段とを備えた電子機器であって、
該無給電画像表示手段は、互いに独立に画像を表示可能な複数の表示領域を有し、
該描画処理手段は、該複数の表示領域それぞれについて互いに独立に表示画像を書き換えるように描画処理を行うことを特徴とする電子機器。
【請求項２】
請求項１の電子機器において、
上記無給電画像表示手段は、上記複数の表示領域それぞれに対して供給された描画用駆動信号によって各表示領域の表示画像が変化するように構成され、
上記描画処理手段は、上記複数の表示領域のうち画像変更対象の表示領域についてのみ描画用駆動信号を供給することを特徴とする電子機器。
【請求項３】
請求項１又は２の電子機器において、
上記無給電画像表示手段に表示する画像を利用者が指定するための表示画像指定手段と備え、
上記無給電画像表示手段は、上記複数の表示領域として、該表示画像指定手段を用いて利用者が指定した画像を表示するためのユーザ用表示領域と、利用者によって表示画像を指定することができないシステム用表示領域とを有することを特徴とする電子機器。
【請求項４】
請求項３の電子機器において、
上記システム用表示領域に表示される画像は、当該電子機器の動作状態に関連した機器状態関連情報の画像であることを特徴とする電子機器。
【請求項５】
請求項３の電子機器において、
上記システム用表示領域に表示される画像は、時刻情報の画像であることを特徴とする電子機器。
【請求項６】
請求項１乃至５のいずれかの電子機器において、
移動体通信ネットワークを介して通信する通信手段を備えたことを特徴とする電子機器。
【請求項７】
請求項６の電子機器において、
上記表示領域に表示される画像は、上記通信手段による通信に関連した通信関連情報の画像であることを特徴とする電子機器。
【請求項８】
請求項１乃至７のいずれかの電子機器において、
近距離無線通信により外部の情報処理装置との間で情報を送受信する近距離無線通信手段を備えたことを特徴とする電子機器。
【請求項９】
請求項８の電子機器において、
上記表示領域に表示される画像は、上記近距離無線通信手段によって上記情報処理装置との間で送受信された情報の画像であることを特徴とする電子機器。
【請求項１０】
請求項６乃至９のいずれかの電子機器において、
上記通信手段による通信で受信した通信結果に基づいて、上記表示領域に表示する画像を変更するように上記描画処理手段を制御する制御手段を備えたことを特徴とする電子機器。
【請求項１１】
請求項１乃至１０のいずれかの電子機器において、
上記表示領域に表示する画像のデータを記憶する記憶手段と、
該記憶手段に予め記憶されている画像データに基づいて、上記表示領域に表示する画像を変更するように上記描画処理手段を制御する制御手段とを備えたことを特徴とする電子機器。
【発明の詳細な説明】
【技術分野】
【０００１】
本発明は、移動体通信端末等の電子機器に関するものである。
【背景技術】
【０００２】
近年、電子ペーパー等の無給電画像表示手段は、画像の表示状態が維持されている間は電力を消費しないので、画像の表示状態が維持されている間も電力を消費する一般的な表示手段に比べて省エネルギー効果が高く、注目を浴びている。そのため、このような省エネルギー効果を有効利用すべく、無給電画像表示手段の様々な活用方法が提案されている。
特許文献１には、通信回線に接続された情報管理サーバから受信した新聞記事情報等の情報をユーザーの知覚できる状態で表した画像が、電子ペーパー（無給電画像表示手段）に表示される電子機器としての情報端末が開示されている。この情報端末によれば、ユーザーが電子ペーパーに表示されている画像を見ている間、電力が消費されることがないため、上記一般的な表示手段に比べて省エネルギー化を図ることができる。
また、特許文献２では、筐体の外表面上に電子ペーパーを設け、その電子ペーパーに表示されるデザイン画像を変更可能とした電子機器が開示されている。この電子機器によれば、ユーザーの好みに応じて筐体デザインを簡単に変更することができるようになる。筐体デザインは、一般に、長い期間ずっと表示状態が維持されることを望まれるが、このような長い期間ずっと電力を消費し続けることとなれば、実用性に欠けるものとなる。上記特許文献２に開示の電子機器は、筐体デザインを表示する手段として電子ペーパーを用いているので、電力を消費せずに筐体デザインを長い期間表示し続けることができ、実用性が高いと言える。
【０００３】
【特許文献１】特開２００２−１６３２５７号公報
【特許文献２】特開２００４−６４６１２号公報
【発明の開示】
【発明が解決しようとする課題】
【０００４】
上記無給電画像表示手段には、上記電子機器の外壁部のデザインである筐体デザインを構成する画像だけでなく、かかる筺体デザインを構成する画像よりも短いタイミングで変更するような各種情報の画像を表示することが考えられる。ところが、上記従来の無給電画像表示手段に表示されている表示画像の一部を変更しようとする場合、変更しない画像部分を含めて無給電画像表示手段の表示領域の全体について画像を描画し直す必要があり、しかもその描画速度は通常の液晶ディスプレイに比して遅い。そのため、表示画像の変更の応答性が悪いという問題点があった。また、上記無給電画像表示手段の表示領域の全体について画像を描画し直し、その描画処理に時間もかかることから、表示画像を変更するときに電子機器の外壁部のデザイン性を損ねてしまうという問題点もあった。
【０００５】
本発明は、以上の背景に鑑みなされたものであり、その目的とするところは、無給電画像表示手段の表示画像の一部を変更する際に表示画像によるデザイン性を大きく損ねることなく、画像変更の応答性を高めることが可能になる電子機器を提供することである。
【課題を解決するための手段】
【０００６】
上記目的を達成するために、請求項１の発明は、画像の表示状態を無給電状態でも維持可能な無給電画像表示手段と、該無給電画像表示手段に所望の画像を表示させるように描画処理する描画処理手段とを備えた電子機器であって、該無給電画像表示手段は、互いに独立に画像を表示可能な複数の表示領域を有し、該描画処理手段は、該複数の表示領域それぞれについて互いに独立に表示画像を書き換えるように描画処理を行うことを特徴とするものである。
また、請求項２の発明は、請求項１の電子機器において、上記無給電画像表示手段は、上記複数の表示領域それぞれに対して供給された描画用駆動信号によって各表示領域の表示画像が変化するように構成され、上記描画処理手段は、上記複数の表示領域のうち画像変更対象の表示領域についてのみ描画用駆動信号を供給することを特徴とするものである。
また、請求項３の発明は、請求項１又は２の電子機器において、上記無給電画像表示手段に表示する画像を利用者が指定するための表示画像指定手段と備え、上記無給電画像表示手段は、上記複数の表示領域として、該表示画像指定手段を用いて利用者が指定した画像を表示するためのユーザ用表示領域と、利用者によって表示画像を指定することができないシステム用表示領域とを有することを特徴とするものである。
また、請求項４の発明は、請求項３の電子機器において、上記システム用表示領域に表示される画像は、当該電子機器の動作状態に関連した機器状態関連情報の画像であることを特徴とするものである。
また、請求項５の発明は、請求項３の電子機器において、上記システム用表示領域に表示される画像は、時刻情報の画像であることを特徴とするものである。
また、請求項６の発明は、請求項１乃至５のいずれかの電子機器において、移動体通信ネットワークを介して通信する通信手段を備えたことを特徴とするものである。
また、請求項７の発明は、請求項６の電子機器において、上記表示領域に表示される画像は、上記通信手段による通信に関連した通信関連情報の画像であることを特徴とするものである。
また、請求項８の発明は、請求項１乃至７のいずれかの電子機器において、近距離無線通信により外部の情報処理装置との間で情報を送受信する近距離無線通信手段を備えたことを特徴とするものである。
また、請求項９の発明は、請求項８の電子機器において、上記表示領域に表示される画像は、上記近距離無線通信手段によって上記情報処理装置との間で送受信された情報の画像であることを特徴とするものである。
また、請求項１０の発明は、請求項６乃至９のいずれかの電子機器において、上記通信手段による通信で受信した通信結果に基づいて、上記表示領域に表示する画像を変更するように上記描画処理手段を制御する制御手段を備えたことを特徴とするものである。
また、請求項１１の発明は、請求項１乃至１０のいずれかの電子機器において、上記表示領域に表示する画像のデータを記憶する記憶手段と、該記憶手段に予め記憶されている画像データに基づいて、上記表示領域に表示する画像を変更するように上記描画処理手段を制御する制御手段とを備えたことを特徴とするものである。
【０００７】
なお、上記「電子機器」には、移動体通信端末のほか、携帯型情報端末（ＰＤＡ：Personal Digital Assistance）など、情報記憶手段を備えるあらゆる電子機器が含まれる。また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記電子機器における処理及び制御は、これに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【０００８】
本発明によれば、画像の表示状態を無給電状態でも維持可能な無給電画像表示手段は、互いに独立に画像を表示可能な複数の表示領域を有し、描画処理手段は、複数の表示領域それぞれについて互いに独立に表示画像を書き換えるように描画処理を実行する。無給電画像表示手段に表示している表示画像の一部を変更するときは、複数の表示領域のうち変更対象の表示領域についてのみ、変更後の画像を表示するように表示画像を書き換える描画処理を実行し、他の表示領域については描画処理を実行しないようにすることができる。このように変更対象の表示領域についてのみ描画処理を実行するため、表示画像の一部を変更するときに表示画像によるデザインが大きく変化するのを回避できる。従って、表示画像の一部を変更する際に、無給電画像表示手段の全体について描画処理を実行する場合とは異なり、表示画像によるデザイン性を大きく損ねることない。しかも、変更対象の画像を表示している表示領域についてのみ画像変更のための描画処理を実行するため、無給電画像表示手段の全体について描画処理を行う場合に比して、画像変更の応答性を高めることが可能になるという効果がある。
【発明を実施するための最良の形態】
【０００９】
以下、本発明の実施形態について図面を参照しながら説明する。
図１（ａ）は携帯電話機２０の外観の一例を示す正面図であり、図１（ｂ）はその携帯電話機２０の背面図である。この携帯電話機２０は、ヒンジ部を中心にして互いに揺動可能な蓋部２９と本体部３０とを有するクラムシェル（折り畳み）タイプの携帯電話機である。蓋部２９は、本体部３０に設けられたキー操作部のキー２１〜２５が操作可能な開状態（図１の状態）と、キー操作部のキー２１〜２５を覆った閉状態とをとり得るようになっている。上記開状態にある蓋部２９の外壁部を構成するケーシングには、画像の表示状態が維持されている間も電力を消費する一般的な給電画像表示手段である液晶ディスプレイ（ＬＣＤ）２７、スピーカ２８等が設けられている。また、上記本体部３０の外壁部を構成するケーシングには、上記キー操作部を構成するキー２１〜２５、マイク２６等が設けられている。
また、上記閉状態のあるときに外部に露出する、上記蓋部２９側の上部ケーシングの外部露出部分には、図１（ｂ）に示すように、無給電画像表示手段として機能する表示パネル３１が設けられている。この表示パネル３１は、表示画像を切り換えるための描画用駆動信号を受けることで表示画像が変化し、且つ、その画像の表示状態を無給電状態でも維持可能なものである。この表示パネル３１は、互いに独立に画像を表示可能な複数の表示領域３１Ａ、３１Ｂを有している。
【００１０】
なお、図２に示すように、上記表示パネル３１は、上記閉状態のあるときに外部に露出する本体部３０の外部露出部分に、第３の表示領域３１Ｃを有するように構成してもよい。この場合、表示パネル３１は、互いに独立に画像を表示可能な３つの表示領域３１Ａ、３１Ｂ、３１Ｃを有することになる。
【００１１】
図３（ａ）は本実施形態の携帯電話機２０における表示パネル３１の一構成例を示す断面図である。この表示パネル３１はコレステリック液晶を用いて形成され、蓋部２９のケーシング２９０上に設けられている。この表示パネル３１は、透明下基材層３１１、コレステリック液晶層３１２、透明上基材層３１３の３層構造となっている。透明下基材層３１１及び透明上基材層３１３としては例えばガラス薄板を用いることができる。透明下基材層３１１の上部すなわち携帯電話機２０の外部側には、下格子電極としての行電極３１４が設けられており、透明上基材層３１３の下部すなわち携帯電話機２０の内部側には、上格子電極としての列電極３１５が設けられている。列電極３１４は、携帯電話機２０の横方向（図１中横方向）に平行に延びる所定ピッチの多数のライン状電極で構成されており、これらのライン状電極の端部は、後述の描画処理部２００の出力端子に接続されている。また、列電極３１５は、携帯電話機２０の縦方向（図１中縦方向）に平行に延びる所定ピッチの多数のライン状電極で構成されており、これらのライン状電極の端部も同様に描画処理部２００の出力端子に接続されている。これらの行電極３１４及び列電極３１５は、表示パネル３１の表示領域３１Ａ、３１Ｂの全域にわたって、その電極が延びる方向が互いに直交するように配置されている。そして、後述の描画処理部２００から適切なＯＮ／ＯＦＦタイミングで描画用駆動信号（電気信号）を行電極３１４及び列電極３１５に入力することにより、表示領域３１Ａ、３１Ｂの任意の地点における行電極３１４と列電極３１５との間の電位差を制御できる。
【００１２】
上記コレステリック液晶３１２は、図３（ｂ）に示すように、入射した光のうち、分子配列のらせん周期Ｌに応じて決まる波長の光を選択的に反射させることで、フルカラー表現を可能にしている。分子配列のらせん周期Ｌは、一般に温度が上昇すると小さくなるので、温度コントロールにより所望の色を表現することができる。また、コレステリック液晶３１２は、急冷することにより分子配列のらせん周期Ｌを固定化することが可能である。したがって、らせん周期Ｌを固定化した後は、色を固定できる。このような特性から、コレステリック液晶３１２を用いた表示パネル３１は、表示画像を切り換える描画処理を行う際には温度コントロール用の描画用駆動信号を供給するため電力を消費するが、一旦画像が表示された後は無電力で画像を表示し続けることができる。
【００１３】
なお、上記画像の表示状態を無給電状態でも維持可能な表示パネルとしては、コレステリック液晶に限らず、例えば強誘電性液晶を用いたものであってもよい。
【００１４】
図４は他の構成例に係る表示パネル３１の断面図である。この表示パネル３１は蓋部２９のケーシング２９０上に設けられ、透明下基材層３１６、画像記録層３１７、透明上基材層３１８、保護層３１９の４層構造となっている。透明下基材層３１６の上部すなわち携帯電話機２０の外部側には、下格子電極としての行電極３１４が設けられており、透明上基材層３１８の下部すなわち携帯電話機２０の内部側には、上格子電極としての列電極３１５が設けられている。行電極３１４は、携帯電話機２０の横方向（図１中横方向）に平行に延びる所定ピッチの多数のライン状電極で構成されており、これらのライン状電極の端部は、描画処理部２００の出力端子に接続されている。また、列電極３１５は、携帯電話機２０の縦方向（図１中縦方向）に平行に延びる所定ピッチの多数の電線で構成されており、これらのライン状電極の端部も同様に描画処理部２００の出力端子に接続されている。これらの行電極３１４及び列電極３１５は、表示パネル３１の表示領域３１Ａ、３１Ｂの全域にわたって、その電極が延びる方向が互いに直交するように配置されている。そして、描画処理部２００から適切なＯＮ／ＯＦＦタイミングの描画用駆動信号（電気信号）を入力することにより、表示領域３１Ａ、３１Ｂの任意の地点における行電極３１４と列電極３１５との間の電位差を制御できる。
【００１５】
上記画像記録層３５としては、行電極３８と列電極３９との間に印加される電位差によってその地点の可視状態を制御することが可能であって、描画処理部２００から電気信号の入力がなくなっても、その可視状態が維持されるものを利用することができる。例えば、透明なマイクロカプセル内に多数の白色粒子及び黒色粒子を封入し、これを行電極３１４と列電極３１５の電線とが互いに交差する全ての地点（画素点）に配置したものを、上記画像記録層３１７として用いることができる。この場合、各マイクロカプセル内の白色粒子と黒色粒子は互いに逆極性に帯電している。例えば、白色粒子として負極性帯電物質を用い、黒色粒子として正極性帯電物質を用いる。描画処理部２００から電気信号を入力して、ある画素点における行電極３１４の電位を負極性とし、列電極３１５の電位を正極性とした場合、その画素点のマイクロカプセル内では黒色粒子が列電極３１５側へ電気泳動し、白色粒子が行電極３１４側へ電気泳動する。その結果、この画素点を携帯電話機２０の外部から見たとき、その画素点は黒色に見える。逆に、行電極３１４の電位を正極性とし列電極３１５の電位を負極性とした場合の画素点は、白色に見える。このような描画制御を表示領域３１Ａ，３１Ｂの全域にわたって行うことで、その表示領域３１Ａ，３１Ｂに所望のモノクロ画像を表示させることができる。しかも、各マイクロカプセル内の黒色粒子と白色粒子の配置は、描画処理部２００からの電気信号の入力がなくなっても維持される。したがって、本表示パネル３１は、一旦表示した画像を無給電状態であってもそのまま維持することができる。また、描画処理部２００から入力される電気信号に応じて、多階調のモノクロ画像を表示させることもできる。
【００１６】
なお、ここでは、モノクロ画像について説明したが、カラー画像を表示させることも可能である。カラー画像を表示させる具体例としては、上記透明上基材層３１８と上記保護層３１９との間にカラーフィルタ層を設けたものが挙げられる。このカラーフィルタ層としてＲ（赤）、Ｇ（緑）、Ｂ（青）の３色のフィルターを用いた場合、行電極３１４と列電極３１５とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が列電極３１５側へ電気泳動し、Ｇフィルタ部分及びＢフィルタ部分に対向するマイクロカプセルについては黒色粒子が列電極３１５側へ電気泳動するような、描画用駆動信号（電気信号）を入力する。
【００１７】
また、本発明で用いることができる表示パネル３１としては、表示画像を切替可能でかつ無給電状態でも表示画像の表示状態を維持可能なものであれば、利用することができる。例えば、表示画像を切り換えるための描画用駆動信号（電気信号）を受けることで表示画像が変化し且つその画像の表示状態を無給電状態でも維持可能な他の公知の電子ペーパーなどを利用することができる。
【００１８】
図５は、上記コレステリック液晶等を用いた表示パネル３１に所望の画像を表示させるように描画処理する描画処理手段としての描画処理部２００の一構成例を示すブロック図である。この描画処理部２００は、表示パネル３１の２つの表示領域３１Ａ，３１Ｂそれぞれについて互いに独立に描画用駆動信号（駆動電圧）を供給して描画処理を行うことができる。描画処理部２００は、駆動制御信号生成部２０１と列電極駆動部２０２と行電極駆動部２０３とを備えている。駆動制御信号生成部２０１は、主制御部から送られてくる画像データに基づいて、列電極駆動部２０２及び行電極駆動部２０３から表示パネル３１に出力する描画用駆動信号を制御するための駆動制御信号を生成する。列電極駆動部２０２は、駆動制御信号生成部２０１から受けた列電極用の駆動制御信号に基づいて、所定の列電極３１５に描画用駆動信号を供給する。また、行電極駆動部２０３は、駆動制御信号生成部２０１から受けた行電極用の駆動制御信号に基づいて、所定の行電極３１４に描画用駆動信号を供給する。この行電極駆動部２０３は、表示パネル３１の一部分である第１の表示領域３１Ａに対応する第１の行電極駆動部２０３Ａと、第２の表示領域３１Ｂに対応する第２の行電極駆動部２０３Ｂとを有する。ここで、第１の表示領域３１Ａの表示画像を切り換えるときは、第１の行電極駆動部２０３Ａから、表示領域３１Ａに対応した行電極３１４Ａのみに描画用駆動信号が供給される。一方、第２の表示領域３１Ｂの表示画像を切り換えるときは、第２の行電極駆動部２０３Ｂから、表示領域３１Ｂに対応した行電極３１４Ｂのみに描画用駆動信号が供給される。このように切り換え対象の表示領域部分についてのみ描画用駆動信号を供給することにより、表示領域全体に描画用駆動信号を供給して書き換える場合に比して、表示画像の切り換え処理時間を短くするともに、表示画像切り換えに要する消費電力の低減を図ることができる。
【００１９】
図６は、本実施形態に係る携帯電話機２０の主な構成を示すブロック図である。
この携帯電話機２０は、本実施形態の携帯電話機１０は、制御手段としての主制御部２１０と、記憶手段としての内部メモリ２１１と、携帯電話通信網を介して通信を行う通信手段としての無線通信部２１２及びアンテナ２１３とを備えている。更に、携帯電話機２０は、前述の描画処理部２００と、音信号処理部２１４と、表示制御部２１５と、操作手段としてのキー操作部２１６と、計時手段としての時計部２１７とを備えている。
【００２０】
上記主制御部２１０は、例えばＣＰＵ、キャッシュメモリ、ＲＯＭ、システムバス等で構成され、所定の制御プログラムを実行することにより、内部メモリ２１１、無線通信部２１２、時計部２１６等の各部との間でデータの送受信を行ったり、各部を制御したりする。この主制御部２１０には、音信号処理部２１４を介して音入力手段としてのマイク２６及び音出力手段としてのスピーカ２８が接続され、表示制御部２１５を介して一般的な給電画像表示手段である液晶ディスプレイ２７が接続されている。また、主制御部２１０には、前述の描画処理部２００を介して表示パネル３１が接続されている。更に、主制御部２１０には、キー操作部２１６及び時計部２１７が接続されている。
【００２１】
また、上記主制御部２１０は、他の携帯電話機等との間で電話したりメールを送受信したりするときに、所定の通信処理を実行するように無線通信部２１２や内部メモリ２１１等を制御する。また、主制御部２１０は、携帯電話通信網やインターネット上のサーバとの間でデータ通信を行い、各種コンテンツのデータをダウンロードしたり配信情報を受信したりするときに、所定の通信処理を実行するように無線通信部２１２や内部メモリ２１１等を制御する。
【００２２】
上記内部メモリ２１１は、例えばＲＡＭやＲＯＭなどの半導体メモリで構成され、主制御部２１０で実行する制御プログラムや各種データを記憶するものである。また、この内部メモリ２１１は、情報提供サイトなどからダウンロードした画像、音楽、プログラム等のコンテンツデータを記憶するコンテンツデータ記憶手段としても用いられる。更に、この内部メモリ２１１は、スピーカ１０９から出力する音のデータを記憶する音データ記憶手段としても用いられる。
また、上記内部メモリ２１１は、表示パネル３１や液晶ディスプレイ２７に表示する表示対象の画像データを記憶するための画像データ記憶手段や、表示パネル３１や液晶ディスプレイ２７の画面の全画素に対応する描画データを記憶するための描画データ記憶手段としても用いられる。
なお、これらの記憶手段としては、上記内部メモリ２１１ではなく、携帯電話機本体に着脱可能なメモリーカード、ＩＣカード等の記憶媒体を用いてもよい。
【００２３】
上記無線通信部２１２は、例えば変復調器、シンセサイザ、周波数変換器，高周波増幅器などにより構成され、携帯電話通信網を介して各種装置やサーバと通信したり他の携帯電話機等と通信したりするための処理を行う。
【００２４】
上記表示制御部２１５は、主制御部１２０から送られてきた画像データや描画データに基づいてディスプレイ２７に画像を表示するように制御する。
【００２５】
上記スピーカ２８は、音信号処理部２１４でデジタル信号から変換されたアナログ信号が入力され、通話中の音声を出力したり、メールの着信音、電話の呼び出し音、音楽などを出力したりする。なお、上記スピーカ２８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２６】
上記キー操作部２１６は、図１（ａ）に示すようにデータ入力キー（テンキー、＊キー、＃キー）２１、通話開始キー２２、終話キー２３、スクロールキー２４、多機能キー２５等の複数のキーで構成されている。このキー操作部２１６は、利用者が通話開始、終話、メニュー選択、画面切り換え等を指示したり情報を入力したりするときに用いられるほか、表示パネル３１に表示する画像を利用者が指定するための表示画像指定手段としても用いられる。
【００２７】
上記時計部２１７は、正確な日時を計数し、更新処理等のための時刻情報を生成する。上記マイク２６は、利用者の音声を電気信号（アナログ信号）に変換する。マイク２６から出力される音声の電気信号（アナログ信号）は、音信号処理部２１４に入力され、デジタル信号に変換される。このマイク２６により、通常の電話やテレビ電話で使用する音声を入力することができる。
【００２８】
図７は、上記蓋部２９及び本体部３０を折り畳んだ閉状態で表示パネル３１に表示されている画像の一例を示す携帯電話機の外観図である。図７の表示例において、携帯電話機２０の蓋部２９の外壁部に表示パネル３１が設けられ、その表示パネル３１の第１の表示領域３１Ａは、利用者によって表示画像を指定することができないシステム用表示領域として用いられている。このシステム用表示領域３１Ａには、時計部２１７から出力された現在時刻の情報３２０が表示されている。また、システム用表示領域３１Ａには、無線通信部２１２から出力された通信関連情報として、無線通信に用いる電波の電界強度の情報３２１、及び機器動作関連情報としての内蔵電池残量の情報３２２が表示されている。
【００２９】
なお、上記表示パネルの複数の表示領域それぞれの面積は、表示画像が頻繁に切り換わる表示領域ほど狭くしておくことが、表示画像変更時の消費電力を低減しつつ画像変更の応答性を高めるという点で望ましい。例えば、上記システム用表示領域３１Ａに表示する現在時刻情報、通信関連情報、機器動作関連情報等は比較的頻繁に切り換わるため、図７に示すようにシステム用表示領域３１Ａの面積をユーザ用表示領域３１Ｂの面積よりも狭くしておくのが望ましい。
【００３０】
また、上記通信関連情報としては、電界強度の情報のほか、未読メールの存在を示す情報（未読メール表示）、不在着信があった旨を示す情報（不在着信表示）、通信網側から配信された天気情報（お天気アイコン）を表示してもよい。また、上記通信関連情報としては、簡易留守録のある旨を示す情報（簡易留守録の表示）、マナーモード設定情報、サイレント設定情報、バイブレーションのＯＮ／ＯＦＦ設定情報等を表示してもよい。
また、上記機器動作関連情報としては、電池残量の情報のほか、ＪＡＶＡ（登録商標）プログラム等のアプリケーションプログラムの起動有無の情報、メモリーカード等のカードの挿脱情報等を表示してもよい。
【００３１】
また、システム用表示領域３１Ａに表示されている情報のうち、現在時刻の情報３２０は、携帯電話機２０の主電源をオフにしたときにバックグラウンドで動作するように構成された時計部２１７の出力によって表示が更新されるようにしてもよい。この場合は、携帯電話機２０の主電源をオフにしているときでも、現在時刻の確認が可能となる。
また、電界強度の情報３２１及び内蔵電池の残量３２２は、携帯電話機２０の主電源をオフにしたときに表示しないようにしてもよい。
【００３２】
また、図７の表示例において、表示パネル３１の第１の表示領域３１Ｂは、キー操作部２１６を用いて利用者が指定した画像を表示するためのユーザ用表示領域として用いられている。このユーザ用表示領域３１Ｂには、ネットワーク上でナビゲーションのサービスを提供しているサイトからダウンロードした地図画像が表示されている。このこのユーザ用表示領域３１Ｂの地図画像は、上記ダウンロードで一旦保存した内部メモリー２１１から読み出されて表示され、携帯電話機２０の電源をオフにした後でも、その表示状態が維持されるため道案内等に使用することができる。
【００３３】
図８は、上記システム用表示領域３１Ａにおける現在時刻の情報、電界強度の情報及び内蔵電池の残量情報の書き換えの制御の一例を示すフローチャートである。
まず、携帯電話機２０の主制御部２１０は、予め設定した所定のタイミングで、システム用表示領域３１Ａの画像の表示切り換えのトリガーとなる表示切換イベントが発生したか否かを判断する（ステップ１）。この表示切換イベントとしては、時刻の分の単位が変化したときに時計部２１７から出力されるイベント、内蔵電池の残量が所定量減少したときに図示しない電池残量検知部から出力されるイベント、基地局から受信した電波の強度が変化したときに無線通信部２１２から出力されるイベント等がある。
【００３４】
次に、主制御部２１０は、上記表示切換えイベントが発生したとき、表示切換対象の情報を判定する（ステップ２）。
ここで、表示切換対象が現在時刻の情報であるとき、主制御部２１０は、時計部２１７から現在時刻の情報を取得し、その取得した現在時刻の情報を含むようにシステム用表示領域３１Ａの画像データを生成して描画処理部２００に送る（ステップ３）。描画処理部２００は、主制御部２１０から受けた画像データに基づいて、表示パネル３１に供給する描画用駆動信号を選択する駆動制御信号を生成する。そして、描画処理部２００は、上記生成した駆動制御信号に基づいて列電極用駆動部２０２及び行電極用駆動部２０３から表示パネル３１に描画用駆動信号を供給する。このとき、ユーザ用表示領域３１Ｂについては画像の切り換えが不要であるため、行電極駆動部２０３は、表示領域３１Ａの行電極に対してのみ描画用駆動信号を供給する。この描画用駆動信号の供給により、ユーザ用表示領域３１Ａの表示画像が切り換わる。
【００３５】
また、表示切換対象が電池残量の情報であるとき、主制御部２１０は、図示しない電池残量検知部から電池残量の情報を取得し、その取得した電池残量の情報を含むようにシステム用表示領域３１Ａの画像データを生成して描画処理部２００に送る（ステップ５）。描画処理部２００は、上記現在時刻の情報の場合と同様に、システム用表示領域３１Ａについてのみ描画用駆動信号を供給して表示画像を切り換える（ステップ６）。
【００３６】
また、表示切換対象が電界強度の情報であるとき、主制御部２１０は、無線通信部２１２から電界強度の情報を取得し、その取得した電界強度の情報を含むようにシステム用表示領域３１Ａの画像データを生成して描画処理部２００に送る（ステップ７）。描画処理部２００は、上記現在時刻の情報の場合と同様に、システム用表示領域３１Ａについてのみ描画用駆動信号を供給して表示画像を切り換える（ステップ８）。
【００３７】
図９は、上記ユーザ用表示領域３１Ｂにおける地図画像の表示制御の一例を示すフローチャートである。まず、利用者が携帯電話機２０のキー操作部２１６を操作し、表示パネル３１に表示させることができる画像のリストを液晶ディスプレイ２７に表示させる（ステップ１）。次に、利用者がキー操作部２１６を操作し、画像リスト中の特定の画像（本例では地図画像）を指定すると、その画像指定データが入力される（ステップ２）。主制御部２１０は、入力された画像指定データに基づいて、内部メモリ２１１から所定の画像データを読み出して描画処理部２００に送る（ステップ３）。次に、描画処理部２００は、主制御部２１０から受けた画像データに基づいて、表示パネル３１に供給する描画用駆動信号を選択する駆動制御信号を生成する。そして、描画処理部２００は、上記生成した駆動制御信号に基づいて列電極用駆動部２０２及び行電極用駆動部２０３から表示パネル３１に描画用駆動信号を供給する。このとき、システム用表示領域３１Ａについては画像の切り換えが不要であるため、行電極駆動部２０３は、ユーザ用表示領域３１Ｂの行電極に対してのみ描画用駆動信号を供給する。この描画用駆動信号の供給により、ユーザ用表示領域３１Ｂの表示画像が地図画像に切り換わる。
【００３８】
以上、本実施形態によれば、表示パネル３１に表示している表示画像の一部を変更するときは、複数の表示領域３１Ａ，３１Ｂのうち変更対象の表示領域についてのみ、変更後の画像を表示するように表示画像を書き換える描画処理を実行し、他の表示領域については描画処理を実行しないようにすることができる。このように変更対象の表示領域についてのみ描画処理を実行するため、表示画像の一部を変更するときに表示画像によるデザインが大きく変化するのを回避できる。従って、表示画像の一部を変更する際に、表示パネル３１の全体について描画処理を実行する場合とは異なり、表示画像によるデザイン性を大きく損ねることない。しかも、変更対象の画像を表示している表示領域についてのみ画像変更のための描画処理を実行するため、表示パネル３１の全体について描画処理を行う場合に比して、画像変更の応答性を高めることが可能になる。従って、表示パネル３１の画像変更の際の処理の高速化を図ることができる。
また、表示パネル３１における変更対象の表示領域についてのみ部分的に描画用駆動信号を供給することで省電力化を図ることができる。
【００３９】
なお、上記実施形態において表示パネル３１の表示画像は、通信網側から受信した通信結果に基づいて切り換えるようにしてもよい。例えば、図１０に示すように、通信網におけるＰＵＳＨ型の情報配信サービスによって携帯電話機２０がニュース、天気予報、広告情報等の配信情報を受信したときに、その配信情報を表示パネル３１のシステム用表示領域３１Ａに表示するように制御してもよい。
【００４０】
また、上記実施形態において、近距離無線通信により外部の情報処理装置との間で情報を送受信する近距離無線通信手段としての非接触ＩＣ装置を備え、この非接触ＩＣ装置による通信結果を表示パネル３１に表示するようにしてもよい。
【００４１】
図１１は、非接触ＩＣ装置２１８を備えた携帯電話機２０の主な構成を示すブロック図である。非接触ＩＣ装置２１８は携帯電話機２０に組み込まれ、電磁波を用いた近距離無線通信によりショッピング端末装置等の外部の情報処理装置（リーダライタ）との間で情報を送受信する近距離無線通信手段として機能する。この非接触ＩＣ装置２１８は、ＩＣチップ、アンテナ等で構成され、カード型、ラベル型、コイン型、スティック型など様々な形状のものを用いることができる。非接触ＩＣ装置２１８における近距離無線通信方式としては、非接触ＩＣカード、非接触ＩＣモジュール、ＲＦＩＤ（Radio Frequency Identification）タグで用いられている無線通信方式、Bluetooth（登録商標）の無線通信方式、赤外線を用いた無線通信方式等の各種の方式を採用することできる。
【００４２】
上記非接触ＩＣ装置２１８は、例えばループアンテナ、無線インターフェース部、符合変調・復調部、データ処理部等で構成される。ループアンテナはコンデンサと組み合わせにより、外部の情報処理装置（リーダライタ）から送信された電磁波の所定周波数に共振するＬＣ回路を形成している。無線インターフェース部は、アンテナを介して受信した受信波信号を検波して復調したり、送信対象の信号を所定変調方式で変調してアンテナに送る送信波信号を生成したりする。符合変調・復調部は、データ処理部から受けた送信対象のデータを所定のコードで符号化して無線インターフェース部に送ったり、無線インターフェース部から受けた受信データを復号化してデータ処理部に送ったりする。データ処理部は、バスを介して互いにデータのやり取りが可能なＣＰＵ、ＲＡＭ、ＲＯＭ、ＥＥＰＲＯＭ、入出力インターフェース等で構成されている。このデータ処理部のバスには上記符合変調・復調部が接続されており、データ処理部と符合変調・復調部との間でデータを送受信できるようになっている。また、このデータ処理部と携帯電話機２０の本体側の主制御部２１０との間は、上記入出力インターフェースを介してデータが送受信される。
また、上記非接触ＩＣ装置２１８は、携帯電話機の電源をオフにした状態でも動作させることができるように、上記外部の情報処理装置が発した電磁波から電力を取得可能に構成するのが好ましい。例えば、外部の情報処理装置から送信された電磁波を受信して得られた交流信号を整流し、この整流した信号の電気エネルギー（電力）を一旦コンデンサ等に蓄積する。このコンデンサ等から供給される電気エネルギー（電力）により非接触ＩＣ装置２１８の各部の回路が動作する。この場合は、外部の情報処理装置から受信した電磁波から得られた電力を用いて、表示パネル３１の表示画像の切り換え処理も行うことができる。
また、上記非接触ＩＣ装置２１８を所定の手順に従って動作させるための制御プログラムは、非接触ＩＣ装置２１８中のデータ処理部を構成しているＲＯＭやＥＥＰＲＯＭなどに記憶され、必要に応じて非接触ＩＣ装置２１８内のＣＰＵやＲＡＭに読み出されて実行される。
上記非接触ＩＣ装置２１８との間で送受信され表示パネル３１に表示する画像の情報としては、取引関連情報や決済情報などを表示することができる。例えば、非接触ＩＣ装置２１８との間で通信することによって予約処理や決済処理を行って、チケット予約済み情報やチケット購入済み情報をＱＲコード（登録商標）等の認証用画像（コード画像）で表示してもよい。
【００４３】
また、上記実施形態において、携帯電話機２０に予め記憶されている情報を、表示パネル３１のシステム用表示領域３１Ａに自動表示するように制御してもよい。例えば、法人ユーザ向けに販売される携帯電話機２０の内部メモリ２１１に、その法人の社名及びロゴ並びに使用者の社員ＩＤ等の情報を予め記憶させる。そして、その携帯電話機２０の電源をオンして使用開始するときに、内部メモリ２１１に記憶している社名、ロゴ及び社員ＩＤ等の情報を読み出し、表示パネル３１のシステム用表示領域３１Ａに自動表示するように制御してもよい。
【００４４】
また、上記実施形態において、携帯電話機２０で実行しているアプリケーションプログラムからの指令に基づいて表示パネル３１の各表示領域３１Ａ，３１Ｂの表示画像を切り換えて変更するように制御してもよい。また、システム用表示領域３１Ａにアプリケーションプログラムの起動の有無を表示するように制御してもよい。
【００４５】
図１２は、アプリケーションプログラムを実行することができ、そのアプリケーションプログラムからの表示制御指令に基づいて表示パネル３１の各表示領域３１Ａ，３１Ｂの画像を変化させることができる携帯電話機２０のブロック図である。図１３は、その携帯電話機２０におけるソフトウェア構造の説明図である。上記アプリケーションプログラム実行管理部２１９は、上述のシステムバス、ＣＰＵやＲＡＭの一部等で構成されている。このアプリケーションプログラム実行管理部２１９は、図１３のソフトウェア構造上において中央の「アプリケーション実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡ（登録商標）で記述されたものである場合には、ＪＡＶＡ（登録商標）のアプリケーション実行環境を選定する。また、実行するアプリケーションプログラムがＢＲＥＷ（登録商標）の実行環境上で動作するＣ言語で記述されたものである場合には、ＢＲＥＷ（登録商標）のアプリケーション実行環境を選定する。なお、実行するアプリケーションプログラムがＪＡＶＡ（登録商標）で記述されたものである場合には、ＢＲＥＷ（登録商標）のアプリケーション実行環境上に更にＪＡＶＡ（登録商標）のアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、ＲＡＭ２０２内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００４６】
携帯電話機２０の主制御部２１０は、アプリケーションプログラム実行管理部２１９との間で制御命令や各種データのやりとりを行い、これらと協働して制御を行う。この主制御部は、図１３のソフトウェア構造上において最下部の「電話機プラットフォーム」に対応しており、電話通信部等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、内部メモリ内における電話機プラットフォームが管理するプラットフォーム用記憶領域に記憶されたデータを読み出して、これをアプリケーション用記憶領域に移行することができる。
【００４７】
また、アプリケーションプログラムの内容に従って、表示パネル３１に表示されている画像を別の画像へ切り替える場合は、次のように動作する。まず、利用者は、表示パネル３１に表示される画像を制御可能なアプリケーションプログラムをダウンロードサーバからダウンロードして取得し、これを登録する。具体的には、利用者はキーを操作してダウンロードサーバにアクセスする。これにより、ダウンロード可能なアプリケーションプログラムを選択するためのダウンロード選択画面が液晶ディスプレイ２７上に表示される。そして、このダウンロード選択画面において、実行対象となるアプリケーションプログラムをスクロールキー２４を用いて選択し、多機能キー２５を押下すると、主制御部２１０が通信装置２１２を制御して、そのアプリケーションプログラムをダウンロードサーバからダウンロードする。このようにしてダウンロードされたアプリケーションプログラムは、主制御部２１０により、内部メモリ２１１に記憶される。このようにダウンロードしたアプリケーションプログラムを実行する場合、利用者は、キー操作部２１６のキーを操作して、実行するアプリケーションプログラムを選択し、実行指示操作を行う。すると、図１３に示した電話機プラットフォームにアプリケーションプログラムの実行指示が入力される。これにより、主制御部２１０は、所定のアプリケーションプログラムを読み出してこれを起動する。このアプリケーションプログラムから図１３に示したアプリケーション実行環境に対して表示制御命令が送られると、アプリケーションプログラム実行管理部２１９は、電話機プラットフォームの主制御部２１０に対して表示制御命令を送る。これを受けた主制御部２１０は、その表示制御命令に係る画像データを内部メモリ２１１から読み出す。その後、主制御部２１０は、描画処理部２００に対して画像データに基づく表示制御命令を出力する。これにより、表示パネル３１に表示されている画像が、アプリケーションプログラムの内容に従った別の画像へ切り替わる。このようにアプリケーションプログラムの内容に従って表示パネル３１に表示する画像を切り替えることができるので、アプリケーションプログラムの実行中に、携帯電話機の外観デザインをそのアプリケーションプログラムの内容に関連したものとすることができる。
【００４８】
なお、上記実施形態においては、表示パネル３１が２つの表示領域３１Ａ，３１Ｂを有する場合について説明したが、表示領域の数は２つに限定されるものではない。例えば、本発明は、３つ以上の表示領域を有する場合にも適用できるものである。
また、上記実施形態においては、携帯電話機２０を例に挙げて説明したが、本発明は、他の移動体通信端末や携帯機器等の電子機器についても同様に適用できるものである。
【図面の簡単な説明】
【００４９】
【図１】（ａ）は本発明の実施形態に係る携帯電話機の外観の一例を示す正面図。（ｂ）は同携帯電話機の背面図。
【図２】変形例に係る携帯電話機の背面図。
【図３】（ａ）は本実施形態の携帯電話機における表示パネルの一構成例を示す断面図。（ｂ）は同表示パネルの動作原理を示す説明図。
【図４】他の構成例に係る表示パネルの構成を示すケーシングの断面図。
【図５】描画処理部の一構成例を示すブロック図。
【図６】本実施形態に係る携帯電話機の主な構成を示すブロック図。
【図７】表示パネルに表示されている画像の一例を示す携帯電話機の外観図。
【図８】表示パネルのシステム用表示領域における現在時刻の情報、電界強度の情報及び内蔵電池の残量情報の書き換えの制御の一例を示すフローチャート。
【図９】表示パネルのユーザ用表示領域における地図画像の表示制御の一例を示すフローチャート。
【図１０】表示パネルのシステム用表示領域にニュースの画像を表示した携帯電話機の外観図。
【図１１】非接触ＩＣ装置を備えた携帯電話機の主な構成を示すブロック図。
【図１２】アプリケーションプログラムを実行可能な携帯電話機のブロック図。
【図１３】同携帯電話機におけるソフトウェア構造の説明図。
【符号の説明】
【００５０】
２０  携帯電話機
２９  蓋部
２９０  ケーシング
３０  本体部
３１  表示パネル（無給電画像表示手段）
３１Ａ  第１の表示領域（システム用表示領域）
３１Ｂ  第２の表示領域（ユーザ用表示領域）
３１１  透明下基材層
３１２  コレステリック液晶層
３１３  透明上基材層
３１４  列電極
３１５  行電極
【図１】
2006253878.tif 000003
【図２】
2006253878.tif 000004
【図３】
2006253878.tif 000005
【図４】
2006253878.tif 000006
【図５】
2006253878.tif 000007
【図６】
2006253878.tif 000008
【図８】
2006253878.tif 000009
【図９】
2006253878.tif 000010
【図１１】
2006253878.tif 000011
【図１２】
2006253878.tif 000012
【図１３】
2006253878.tif 000013
【図７】
2006253878.tif 000014
【図１０】
2006253878.tif 000015